(57)【特許請求の範囲】
【請求項１】
一対の挟持体が左右に対向配設され、この挟持体間に締め付けボルトが貫通配設され、この締め付けボルトにより一対の挟持体の夫々の下部に形成した挟持対向部を締め付け接近させて屋根板のはぜ部に締め付け挟持固定し得るように構成されている屋根用挟持金具において、前記一対の挟持体間に介在体が設けられ、この介在体に向けて前記挟持体に間隙保持凸部が突設されると共に、この間隙保持凸部が突き当たる突き当たり部が前記介在体に設けられるか、若しくは前記挟持体に向けて介在体に間隙保持凸部が突設されると共に、この間隙保持凸部が突き当たる突き当たり部が前記挟持体に設けられて、この突き当たり部に間隙保持凸部が突き当たることにより前記一対の挟持体が離反状態に保持されて前記挟持対向部間に前記はぜ部を挿入可能なはぜ挿入間隙を形成するように構成されており、このはぜ挿入間隙が形成された状態から前記締め付けボルトにより一対の挟持体を締め付け接近させた際に前記間隙保持凸部が接して破損する被破損部が、前記突き当たり部と隣接状態にして前記介在体若しくは前記挟持体に設けられ、この被破損部を破損した間隙保持凸部が進入することにより一対の挟持体の接近挟持移動が許容されて前記挟持対向部が前記はぜ部に締め付け挟持可能となる挟持許容進入部が、この被破損部と隣接状態にして前記介在体若しくは前記挟持体に設けられ、前記間隙保持凸部が前記突き当たり部に突き当たることにより、一方の前記挟持体の下部が他方の前記挟持体の下部から離反する傾斜状態に保持されて前記挟持対向部間に前記はぜ挿入間隙を形成するようにこの間隙保持凸部と突き当たり部とが構成され、このはぜ挿入間隙が形成された状態から前記締め付けボルトにより一対の挟持体を締め付け接近させた際に、一方の挟持体が傾斜状態から立設状態へと変位して、この一方の挟持体の変位に伴い前記間隙保持凸部が前記突き当たり部に対し上動するように構成され、この突き当たり部に対し上動する間隙保持凸部が接する前記被破損部が突き当たり部の上方に隣接状態にして前記介在体に設けられ、この被破損部を破損した間隙保持凸部が進入する前記挟持許容進入部が、この被破損部の上方に隣接状態にして前記介在体に設けられているか、若しくは前記一方の挟持体の変位に伴い前記突き当たり部が前記間隙保持凸部に対し上動するように構成され、間隙保持凸部に対し突き当たり部が上動することにより間隙保持凸部が接する前記被破損部が、突き当たり部の下方に隣接状態にして前記一方の挟持体に設けられ、この被破損部を破損した間隙保持凸部が進入する前記挟持許容進入部が、この被破損部の下方に隣接状態にして前記一方の挟持体に設けられていることを特徴とする屋根用挟持金具。
【請求項２】
前記介在体若しくは前記挟持体に、前記突き当たり部と隣接状態にして前記間隙保持凸部が進入可能な凹所が設けられて、この凹所が前記挟持許容進入部として構成され、この隣接する突き当たり部と挟持許容進入部の間に薄壁状の前記被破損部が設けられており、前記はぜ挿入間隙が形成された状態から前記締め付けボルトにより前記一対の挟持体を締め付け接近させることにより、間隙保持凸部が突き当たり部に隣接する被破損部を破損して被破損部に隣接する挟持許容進入部へと進入するように構成されていることを特徴とする請求項１記載の屋根用挟持金具。
【請求項３】
前記挟持体に前記間隙保持凸部が突設されており、前記介在体は、合成樹脂製であると共に、この介在体に前記突き当たり部と前記被破損部と前記挟持許容進入部とが一体成形されていることを特徴とする請求項１，２のいずれか１項に記載の屋根用挟持金具。
【発明の詳細な説明】
【技術分野】
【０００１】
本発明は、屋根上に新たな屋根板を構築して断熱二重葺き屋根を構築する場合や、屋根上にソーラーパネルや雪止めなどを固定する場合に使用する屋根用挟持金具に関するものである。
【背景技術】
【０００２】
従来から、折板屋根板を上下二重に設置し、この上下の折板屋根板間に断熱材を配設して成る二重断熱折板屋根を構築する場合に使用する折板屋根用断熱支持金具が実施されている。
【０００３】
この折板屋根用断熱支持金具について説明すると、一対の挟持体が左右に対向配設され、この挟持体間に締め付けボルトが貫通配設され、この締め付けボルトにより各挟持体の下部に形成した挟持対向部が締め付け接近して下層に配設する屋根板のはぜ部に締め付け挟持固定するように構成されており、さらにこの一対の挟持体間には断熱材が設けられ、この断熱材の上部に、前記下層屋根板の上方に配設する上層屋根板を係止する吊子を取り付け可能な吊子取付部が設けられている（例えば、特許文献１参照）。
【先行技術文献】
【特許文献】
【０００４】
【特許文献１】意匠登録第１４０９６０８号公報
【発明の概要】
【発明が解決しようとする課題】
【０００５】
上記特許文献１のような屋根のはぜ部に挟持固定する金具は、搬送中に一対の挟持体がガタついたり締め付けボルトが脱落しないように、締め付けボルトを仮締めして出荷している。
【０００６】
ところが、締め付けボルトを仮締めした状態で出荷すると、現場では、一旦締め付けボルトを緩め、一対の挟持体を作業者が両手で持って挟持対向部の対向間隔を広げながらはぜ部の左右を挟むように屋根板上（はぜ部）にセットし、その後再度締め付けボルトを締め付けて一対の挟持体（の挟持対向部）ではぜ部に挟持固定しなければならず、施工作業性が悪いという問題があった。
【０００７】
本発明は、このような屋根のはぜ部に挟持固定するタイプの屋根用挟持金具の問題点を見い出し、これを解決しようとするもので、締め付けボルトを仮締めした出荷状態でも挟持対向部間にはぜ部を挿入可能なはぜ挿入間隙が確保されて、この出荷状態のまま屋根上のはぜ部にセットでき、続けて本締め作業（屋根への固定作業）へと容易に移行できる非常に施工作業性に優れた屋根用挟持金具を提供するものである。
【課題を解決するための手段】
【０００８】
添付図面を参照して本発明の要旨を説明する。
【０００９】
一対の挟持体１が左右に対向配設され、この挟持体１間に締め付けボルト２が貫通配設され、この締め付けボルト２により一対の挟持体１の夫々の下部に形成した挟持対向部３を締め付け接近させて屋根板４のはぜ部５に締め付け挟持固定し得るように構成されている屋根用挟持金具Ａにおいて、前記一対の挟持体１間に介在体６が設けられ、この介在体６に向けて前記挟持体１に間隙保持凸部７が突設されると共に、この間隙保持凸部７が突き当たる突き当たり部８が前記介在体６に設けられるか、若しくは前記挟持体１に向けて介在体６に間隙保持凸部７が突設されると共に、この間隙保持凸部７が突き当たる突き当たり部８が前記挟持体１に設けられて、この突き当たり部８に間隙保持凸部７が突き当たることにより前記一対の挟持体１が離反状態に保持されて前記挟持対向部３間に前記はぜ部５を挿入可能なはぜ挿入間隙９を形成するように構成されており、このはぜ挿入間隙９が形成された状態から前記締め付けボルト２により一対の挟持体１を締め付け接近させた際に前記間隙保持凸部７が接して破損する被破損部10が、前記突き当たり部８と隣接状態にして前記介在体６若しくは前記挟持体１に設けられ、この被破損部10を破損した間隙保持凸部７が進入することにより一対の挟持体１の接近挟持移動が許容されて前記挟持対向部３が前記はぜ部５に締め付け挟持可能となる挟持許容進入部11が、この被破損部10と隣接状態にして前記介在体６若しくは前記挟持体１に設けられ、前記間隙保持凸部７が前記突き当たり部８に突き当たることにより、一方の前記挟持体１Ａの下部が他方の前記挟持体１Ｂの下部から離反する傾斜状態に保持されて前記挟持対向部３間に前記はぜ挿入間隙９を形成するようにこの間隙保持凸部７と突き当たり部８とが構成され、このはぜ挿入間隙９が形成された状態から前記締め付けボルト２により一対の挟持体１を締め付け接近させた際に、一方の挟持体１Ａが傾斜状態から立設状態へと変位して、この一方の挟持体１Ａの変位に伴い前記間隙保持凸部７が前記突き当たり部８に対し上動するように構成され、この突き当たり部８に対し上動する間隙保持凸部７が接する前記被破損部10が突き当たり部８の上方に隣接状態にして前記介在体６に設けられ、この被破損部10を破損した間隙保持凸部７が進入する前記挟持許容進入部11が、この被破損部10の上方に隣接状態にして前記介在体６に設けられているか、若しくは前記一方の挟持体１Ａの変位に伴い前記突き当たり部８が前記間隙保持凸部７に対し上動するように構成され、間隙保持凸部７に対し突き当たり部８が上動することにより間隙保持凸部７が接する前記被破損部10が、突き当たり部８の下方に隣接状態にして前記一方の挟持体１Ａに設けられ、この被破損部10を破損した間隙保持凸部７が進入する前記挟持許容進入部11が、この被破損部10の下方に隣接状態にして前記一方の挟持体１Ａに設けられていることを特徴とする屋根用挟持金具に係るものである。
【００１０】
また、前記介在体６若しくは前記挟持体１に、前記突き当たり部８と隣接状態にして前記間隙保持凸部７が進入可能な凹所11が設けられて、この凹所11が前記挟持許容進入部11として構成され、この隣接する突き当たり部８と挟持許容進入部11の間に薄壁状の前記被破損部10が設けられており、前記はぜ挿入間隙９が形成された状態から前記締め付けボルト２により前記一対の挟持体１を締め付け接近させることにより、間隙保持凸部７が突き当たり部８に隣接する被破損部10を破損して被破損部10に隣接する挟持許容進入部11へと進入するように構成されていることを特徴とする請求項１記載の屋根用挟持金具に係るものである。
【００１１】
また、前記挟持体１に前記間隙保持凸部７が突設されており、前記介在体６は、合成樹脂製であると共に、この介在体６に前記突き当たり部８と前記被破損部10と前記挟持許容進入部11とが一体成形されていることを特徴とする請求項１，２のいずれか１項に記載の屋根用挟持金具に係るものである。
【発明の効果】
【００１２】
本発明は上述のように構成したから、一対の挟持体が離反状態に保持されて挟持対向部間に屋根板のはぜ部を挿入可能なはぜ挿入間隙が形成される仮締め状態にでき、この仮締め状態で出荷することにより、現場で仮締め状態のまま締め付けボルトを緩めることなくはぜ部をはぜ挿入間隙に挿入配設して本屋根用挟持金具を屋根上にセットでき、仮締め状態から締め付けボルトにより一対の挟持体を締め付け接近させることでこの仮締め状態を解除できるため、続けて挟持体の下部に設けた挟持対向部ではぜ部を容易に挟持できる（締め付けボルトによる本締め作業へとスムーズに移行できる）非常に施工作業性に優れた実用的な屋根用挟持金具となる。
【００１３】
また、請求項２記載の発明においては、はぜ挿入間隙が形成された状態から締め付けボルトにより一対の挟持体を締め付け接近させた際に、確実に間隙保持凸部が被破損部を破損して挟持許容進入部へと進入する構成を簡易構造により容易に設計実現可能となる一層実用性に優れた構成の屋根用挟持金具となる。
【００１４】
また、請求項３記載の発明においては、介在体に突き当たり部と被破損部と挟持許容進入部とが設けられる構成を簡易構造により容易に設計実現可能となる一層実用性に優れた構成の屋根用挟持金具となる。
【図面の簡単な説明】
【００１５】
【図１】本実施例（の本締め状態）を示す斜視図、並びに一方の挟持体を示す斜視図である。
【図２】本実施例を示す分解斜視図である。
【図３】本実施例を示す、他方の挟持体に断熱材が組付けられた状態の分解斜視図である。
【図４】本実施例の仮締め状態を示す斜視図である。
【図５】本実施例を仮締め状態のまま折板屋根のはぜ部にセットしようとする状態を示す説明正断面図である。
【図６】本実施例（の本締め状態）を示す、図１とは別角度からの斜視図である。
【図７】図５に続いて、締め付けボルトを本締めして下層屋根板上に固定し、本実施例を介して下層屋根板上に上層屋根板を設置した状態（二重断熱折板屋根の完成状態）を示す説明正断面図である。
【発明を実施するための形態】
【００１６】
好適と考える本発明の実施形態を、図面に基づいて本発明の作用を示して簡単に説明する。
【００１７】
挟持体１に設けられている間隙保持凸部７を、介在体６に設けられている突き当たり部８に突き当てるか、若しくは一対の挟持体１間の介在体６に設けられている間隙保持凸部７を、挟持体１に設けられている突き当たり部８に突き当てて、この間隙保持凸部７が突き当たり部８に隣接する被破損部10を破損しない程度に締め付けボルト２を仮締めすると、一対の挟持体１が離反状態に保持されて前記挟持対向部３間に前記はぜ部５を挿入可能なはぜ挿入間隙９が形成されることになる。
【００１８】
従って、例えば、この仮締め状態で出荷することとすれば、現場では、この仮締め状態のまま締め付けボルト２を緩めることなく屋根板４のはぜ部５をはぜ挿入間隙９に挿入配設して本屋根用挟持金具Ａを屋根上にセットすることが可能となる。
【００１９】
続いて、この仮締め状態から、締め付けボルト２により一対の挟持体１をさらに締め付け接近させると、挟持体１の下部に設けた挟持対向部３が屋根板４のはぜ部５を挟持して本屋根用挟持金具Ａが屋根上に固定することになる。
【００２０】
具体的には、仮締め状態（はぜ挿入間隙９が形成された状態）から前記締め付けボルト２により一対の挟持体１を締め付け接近させると、前記突き当たり部８に突き当たっている前記間隙保持凸部７が、突き当たり部８に隣接状態に設けられた被破損部10に接してこの被破損部10を破損し、被破損部10を破損した間隙保持凸部７が、被破損部10と隣接状態に設けられた挟持許容進入部11に進入し、これにより仮締め状態が解除されて一対の挟持体１の接近挟持移動が許容され、前記挟持対向部３が前記はぜ部５に締め付け挟持すること（本締め固定状態）となる。
【実施例】
【００２１】
本発明の具体的な実施例について図面に基づいて説明する。
【００２２】
本実施例は、本発明を折板屋根用の断熱支持金具に適用したものである。尚、本発明は、本実施例に限らず、他の屋根用挟持金具に適用しても良い。
【００２３】
具体的には、図１に示すように、一対の挟持体１が左右に対向配設され、この挟持体１間に締め付けボルト２が貫通配設され、この締め付けボルト２により各挟持体１の下部に形成した挟持対向部３を締め付け接近させて下側に配する屋根板４（下層屋根板４Ｂ）のはぜ部５に締め付け挟持固定し得るように構成されており、この一対の挟持体１間に合成樹脂製の断熱材６が設けられ、この断熱材６の上部に、前記下層屋根板４Ｂの上方に配する屋根板４（上層屋根板４Ａ）を係止する吊子12を取り付け可能な吊子取付部13が設けられている。
【００２４】
即ち、この断熱材６により前記吊子12と各挟持体１とが断熱されて、前記下層屋根板４Ｂと前記上層屋根板４Ａとが断熱状態となるように構成されている（一対の挟持体１で締め付け挟持固定する下層屋根板４Ｂと、吊子12に取り付けた上層屋根板４Ａとを断熱状態に支持して二重断熱折板屋根構造を構築するように構成されている。）。図中符号32はタイトフレームである。
【００２５】
さらに詳しくは、この一対の挟持体１は、金属板材を折曲して構成されていると共に、一方（図面左側）の挟持体１Ａを他方の挟持体１Ｂより高さのある形状に形成し、左右に対向配設されたこの挟持体１間に貫通孔14を介して六角ボルトを採用した締め付けボルト２を水平貫通配設し、この締め付けボルト２にナット15が螺着されていて、例えばこのナット15を締め付け回動することで各挟持体１の下部に形成した前記挟持対向部３が締め付け接近して前記はぜ部５を締め付け挟持するように構成されている。
【００２６】
また、この一対の挟持体１は、図１〜図３に示すように、いずれも板材を折曲して底板部16上に平面視コ字状の立板部17を立上げ折曲形成した構成とされ、各挟持体１の夫々の開口側を内側に向けて対設して、各底板部16の対向内側縁部が前記挟持対向部３として機能するように構成されている。
【００２７】
また、対向する各立板部17の中間板部の中ほどには、前記締め付けボルト２を挿通する前記貫通孔14が設けられ、さらに一方の挟持体１Ａの立板部17は、その前後両側板部の下部内側縁に、前記挟持対向部３で前記はぜ部５を挟持した際のはぜ頂部の逃げ口となる切欠部18が形成されている（図５，図７参照）。
【００２８】
また、この一対の挟持体１間に、ブロック状の合成樹脂材から成る前記断熱材６が設けられている。
【００２９】
この断熱材６は、図１〜図７に示すように、一対の挟持体１間に配設されて一側に一方の挟持体１Ａの内側縁を沿設させ他側に他方の挟持体１Ｂの内側縁を沿設させる縦板状の下側ブロック部19と、この下側ブロック部19の上部から左右方向に延設して左右一対の挟持体１の夫々の上方に露出状態にして沿設させる横板状の上側ブロック部20とから成る、正面視略Ｔ字状のブロック体に一体成形されている。
【００３０】
また、この断熱材６の左右の上側ブロック部20は、前記一対の挟持体１の高さの相違に合せて一方（図面左側）の上側ブロック部20Ａが他方（図面右側）の上側ブロック部20Ｂより高くなる段差横板状に形成され、他方の上側ブロック部20Ｂの上面が、吊子12の下部を載置可能な載置面部21とされ、この載置面部21に上方へ貫通突出する取付ボルト22が突設され、この取付ボルト22を吊子12の下部取付孔（図示省略）に挿通することにより吊子12を載置面部21に載置でき、取付ボルト22先端に螺着したナット23で吊子12（の下部）を締め付け固定できるように構成されている。即ち、この吊子12を載置可能な載置面部21と、この載置面部21に載置した吊子12を取付固定する取付ボルト22とにより前記吊子取付部13が構成されている。
【００３１】
また、この断熱材６は、その下側ブロック部19を一対の挟持体１間に配設して挟持体１に対し分離不能状態に連結するように構成されている。
【００３２】
具体的には、他方の挟持体１Ｂの内側開口部に嵌合配設可能な連結部材24を介して挟持体１に断熱材６が接続されている。
【００３３】
連結部材24は、図２に示すように、帯状の金属板を折曲することにより縦板部25の上下に上横板部26と下横板部27が連設する正面視コ字状体に構成されており、前記他方の挟持体１Ｂの内側開口部に、この内側開口部の開口端側に前記縦板部25が存するように配して嵌合すると共に、前記下横板部27を挟持体１の底板部16上に載置することによってこの連結部材24が他方の挟持体１Ｂの内側開口部に嵌合配設するように構成されている（図５，図７参照）。
【００３４】
また、この連結部材24は、前記上横板部26の上方に前記断熱材６の他方の上側ブロック部20Ｂの下部を沿設させると共に、縦板部25に前記下側ブロック部19の他側面（図面右側面）を沿設させることができるように構成されている。
【００３５】
また、この連結部材24を挟持体１に嵌合配設した際、前記貫通孔14に挿通された締め付けボルト２を挿通可能なボルト挿通孔28が縦板部25の中ほどに貫通形成され、このボルト挿通孔28にも一対の挟持体１間に貫通配設する締め付けボルト２を挿通することにより、連結部材24が一対の挟持体１に対し外れ止め状態となるように構成されている（図２，図３参照）。
【００３６】
また、この連結部材24の前記上横板部26には、他方の上側ブロック部20Ｂに設けられたボルト孔32を介して前記載置面部21の上方へ貫通突出する前記取付ボルト22が立設状態に固定されていると共に、前記縦板部25の前後両端縁には、縦板部25に対する前記上横板部26及び下横板部27の突出方向と逆方向に突出する位置決め突片30が一体的に折り起こし形成され、取付ボルト22をボルト貫通孔32に貫通させると共に、詳しく図示していないが位置決め突片30を前記下側ブロック部19の他側面に形成した係合凹所に係合させることにより、連結部材24に対し断熱材６が位置決め状態で沿設するように構成されている。
【００３７】
また、この位置決め沿設状態で前記ボルト挿通孔28と連通する取付孔部29が、断熱材６の下側ブロック部19の下部に一体成形されており、この連通する取付孔部29とボルト挿通孔28とに、一対の挟持体１間に貫通配設する締め付けボルト２を挿通することにより、連結部材24とともに断熱材６が一対の挟持体１に対し外れ止め状態となるように構成されている（図３参照）。
【００３８】
本実施例は、前記一対の挟持体１間に介在体６を設け、この介在体６に向けて前記挟持体１に間隙保持凸部７が突設され、この間隙保持凸部７が突き当たる突き当たり部８が前記介在体６に設けられて、この突き当たり部８に間隙保持凸部７が突き当たることにより前記一対の挟持体１が離反状態に保持されて前記挟持対向部３間に前記はぜ部５を挿入可能なはぜ挿入間隙９が形成されるように構成されている。
【００３９】
本実施例の間隙保持凸部７は、一方の挟持体１Ａの内側の前後端縁の中ほどに、この挟持体１Ａから一体的に突設されている（間隙保持凸部７が形成されるように、一方の挟持体１Ａを構成する板材の形状が設定構成されている。）。
【００４０】
また、本実施例の介在体６は、前記断熱材６で構成されている。即ち、本実施例では、この種の折板屋根用断熱支持金具に備わる断熱材６が、介在体６としても機能するように構成されている（以下、本実施例では、介在体６を断熱材６と称して説明する。）。
【００４１】
この断熱材６の前記下側ブロック部19の一側面（図面左側面）に前記突き当たり部８が設けられている。この突き当たり部８は、下側ブロック部19の一側面の下部寄り前後に内方へ凹設するようにして一体成形された凹所８で構成され、この前後の突き当たり部８に、前記前後の間隙保持凸部７が夫々突き当たると、一方の前記挟持体１Ａの下部が他方の前記挟持体１Ｂの下部から離反する傾斜状態に保持されて前記挟持対向部３間に前記はぜ挿入間隙９が形成されるように、この突き当たり部８（凹所８）の深さ並びに間隙保持凸部７の突出度等が設定されている（図４，図５参照）。
【００４２】
本実施例では、このはぜ挿入間隙９が形成された状態を締め付けボルト２（ナット15）の仮締め状態とし、この仮締め状態に各部品を組付けて出荷することにより、搬送時に一対の挟持体１がガタつくことや締め付けボルト２の脱落を防止できるように構成されている。
【００４３】
そして、この仮締め状態（はぜ挿入間隙９が形成された状態）から、前記締め付けボルト２（ナット15）の締め付けにより一対の挟持体１を締め付け接近させると、一方の挟持体１Ａが傾斜状態から立設状態へと変位して、この変位に伴い前記間隙保持凸部７が前記突き当たり部８に対し上動することになる構成とされている（図４〜図７参照）。
【００４４】
また、本実施例では、このはぜ挿入間隙９が形成された状態から前記締め付けボルト２（ナット15）の締め付けにより一対の挟持体１を締め付け接近させた際に前記間隙保持凸部７が接して破損する被破損部10が、前記突き当たり部８と隣接状態にして前記断熱材６に設けられ、この被破損部10を破損した間隙保持凸部７が進入することにより一対の挟持体１の接近挟持移動が許容されて前記挟持対向部３が前記はぜ部５に締め付け挟持可能となる挟持許容進入部11としての凹所11が、この被破損部10と隣接状態にして前記断熱材６に設けられている。
【００４５】
具体的には、下側ブロック部19に前記凹所11として、この下側ブロック部19を水平左右方向に貫通する貫通穴部11が前記各突き当たり部８の上方に隣接状態に一体成形され、この貫通穴部11が前記挟持許容進入部11として構成されている（図５，図７参照）。
【００４６】
また、この上下に隣接する突き当たり部８と挟持許容進入部11の間に強度的に脆弱な薄壁10が一体成形され、この薄壁10が前記被破損部10に構成されている。
【００４７】
そして、前記はぜ挿入間隙９が形成された仮締め状態から前記締め付けボルト２（ナット15）を締め付けることにより前記一対の挟持体１を締め付け接近させると、一方の挟持体１Ａが傾斜状態から立設状態へと変位し、これに伴い前記間隙保持凸部７が前記突き当たり部８に対し上動して突き当たり部８に隣接する被破損部10に接して強度的に脆弱なこの被破損部10を破損（図面は被破損部10が折損して破損片10Ａが断熱材６から分離するように構成されている場合を示しているが、破損された被破損部10が断熱材６から分離せずに残存するように構成されていても良い。）することとなり、被破損部10の破損後は、上動（摺動）する間隙保持凸部７が被破損部10に隣接する挟持許容進入部11へと進入し、これにより仮締め状態が解除されて一対の挟持体１の接近挟持移動が許容され、前記挟持対向部３で前記はぜ部５に締め付け挟持すること（本締め固定状態とすること）が可能となるように構成されている（図４〜図７参照）。
【００４８】
尚、本発明は、本実施例に限られるものではなく、各構成要件の具体的構成は適宜設計し得るものである。
【００４９】
例えば、本実施例では、間隙保持凸部７が一方の挟持体１Ａにだけ設けられて、突き当たり部８も下側ブロック部19の一側面にだけ設けられている構成を示したが、間隙保持凸部７が一対の挟持体１の双方に設けられて、突き当たり部８が下側ブロック部19の両側面に設けられている構成を採用しても良い。
【００５０】
また、本実施例では、前記挟持体１に間隙保持凸部７が突設され、前記断熱材６（介在体６）に突き当たり部８，被破損部10及び挟持許容進入部11が設けられている構成を示したが、断熱材６に間隙保持凸部７が突設され、挟持体１に突き当たり部８，被破損部10及び挟持許容進入部11が設けられている構成を採用しても良い。この場合には、前記仮締め状態から前記締め付けボルト２（ナット15）を締め付けることにより一対の挟持体１を締め付け接近させた際に、一方の挟持体１Ａが傾斜状態から立設状態へと変位しこの変位に伴って前記突き当たり部８が前記間隙保持凸部７に対し上動することになるので、前記被破損部10が突き当たり部８の下方に隣接状態にして前記挟持体１に設けられ、この突き当たり部８の上動により被破損部10が破損されて間隙保持凸部７が進入する前記挟持許容進入部11が、この被破損部10の下方に隣接状態にして前記挟持体１に設けられように構成すると良い。
【符号の説明】
【００５１】
１  挟持体
１Ａ  一方の挟持体
１Ｂ  他方の挟持体
２  締め付けボルト
３  挟持対向部
４  屋根板
５  はぜ部
６  介在体
７  間隙保持凸部
８  突き当たり部
９  はぜ挿入間隙
10  被破損部
11  挟持許容進入部・凹所
Ａ  屋根用挟持金具
【図１】
0006655980.tif 000002
【図２】
0006655980.tif 000003
【図３】
0006655980.tif 000004
【図４】
0006655980.tif 000005
【図５】
0006655980.tif 000006
【図６】
0006655980.tif 000007
【図７】
0006655980.tif 000008